(57)【要約】【課題】体の不自由な人でも、大きく前に屈まなくても、通常の姿勢のまま片手で持って簡単に履くことができる靴下を提供する。【解決手段】履き口２の周長の１／８から２／５の範囲に、他の編立部分よりも直線状を保つ直線保持部１１ａが履き口２に沿って編み立てられている。直線保持部１１ａは、平編又はタック編されている。直線保持部１１ａは、他の編立部分より収縮性の高い編糸が使用され、又は他の編立部分より収縮性の高い編糸が引き揃えられていてもよい。【選択図】図１
2019151937.tif 000002
【特許請求の範囲】
【請求項１】
履き口の周長の１／８から２／５の範囲に、他の編立部分よりも直線状を保つ直線保持部が前記履き口に沿って編み立てられていることを特徴とする靴下。
【請求項２】
前記直線保持部は、平編されていることを特徴とする請求項１に記載の靴下。
【請求項３】
前記直線保持部は、タック編されていることを特徴とする請求項１に記載の靴下。
【請求項４】
前記直線保持部は、他の編立部分より収縮性の高い編糸が使用されていることを特徴とする請求項２又は３に記載の靴下。
【請求項５】
前記直線保持部は、他の編立部分より収縮性の高い編糸が引き揃えられていることを特徴とする請求項２又は３に記載の靴下。
【請求項６】
前記直線保持部が前記履き口の後側に設けられ、前記直線保持部に連続して取っ手が設けられていることを特徴とする請求項１から５のいずれかに記載の靴下。
【請求項７】
前記取っ手の根元の前記直線保持部の両側にさらに前記直線保持部が設けられていることを特徴とする請求項６に記載の靴下。
【請求項８】
前記履き口が、前記取っ手の根元の前記直線保持部を底辺とし、両側の前記前記直線保持部を斜辺とする二等辺三角形を形成していることを特徴とする請求項６又は７に記載の靴下。
【請求項９】
前記履き口を含む脚部が内側と外側に二重に編み立てられ、前記直線保持部が内側又は外側の脚部に編み立てられていることを特徴とする請求項１から８のいずれかに記載の靴下。
【請求項１０】
前記直線保持部が少なくとも２つ設けられ、隣接する前記直線保持部の間は他の編み立て部分よりも度目が大きく編み立てられていることを特徴とする請求項１から５のいずれかに記載の靴下。
【請求項１１】
隣接する前記直線保持部の間は他の編立部分よりも度目が大きく編み立てられていることを特徴とする請求項７又は８に記載の靴下。
【発明の詳細な説明】
【技術分野】
【０００１】
本発明は、高齢者、障害者体の不自由な人、健常者でも体を動かしにくい状況でも片手で楽に履けるユニバーサルデザインの靴下に関する。
【背景技術】
【０００２】
靴下はメリヤス編で柔らかく作られているが、体の不自由な人にはさらに柔らかく、締め付けのない靴下が求められる。しかし、柔らかく締め付けのない靴下は、その生地の性質から腰が弱く、履き口が寄り添うようにくっついて閉じた状態になりやすい。履き口が閉じられていると、前に屈んで、両手で履き口の両側を広げるように持って履かなければならないので、体の不自由な人、また、健常な人でも、怪我や妊娠している人、あるいは冬山で手袋をはめたままの人にとっては履きづらい。
【０００３】
特許文献１−４には、体の不自由な人にも履きやすくする靴下装着補助具が提案されているが、補助具の靴下への取り付けや装着するまでの扱い方が煩わしい。また、履き口の左右や後ろに取っ手を有する靴下も提案されている。この取っ手付きの靴下は、通常の靴下に較べると履きやすいが、履き口を広げるためには屈んで両手を使う必要があり、大きく屈むことが困難な人には、やはり履きにくい。
【先行技術文献】
【特許文献】
【０００４】
【特許文献１】特開２００９−２１３５９０号公報
【特許文献２】特開２０１０−２８４２９４号公報
【特許文献３】特開２０１３−１８０１８３号公報
【特許文献４】特開２０１４−１８０４９９号公報
【発明の概要】
【発明が解決しようとする課題】
【０００５】
本発明はこのような従来の問題点に鑑みてなされたもので、体の不自由な人等でも、大きく前に屈まなくても、通常の姿勢のまま片手で持って簡単に履くことができる靴下を提供することを課題とする。
【課題を解決するための手段】
【０００６】
本発明は、前記課題を解決するための手段として、履き口の周長の１／８から２／５の範囲に、他の編立部分よりも直線状を保つ直線保持部が前記履き口に沿って編み立てられている。
【０００７】
本発明では、直線保持部により履き口が直線状を保ち易い編構造を有しているので、履き口を片手の指で掴むと、履き口が自然に拡がる。このため、大きく前に屈んで両手で履き口を拡げながら足の指先を入れるような姿勢をとらなくても、少し屈んだ姿勢で片手で履き口を持ち、拡がった履き口に足指を入れて引き上げるだけで、片手で靴下を履くことができる。
【０００８】
前記直線保持部は、平編、又はタック編されている。あるいは、前記直線保持部は、他の編立部分より収縮性の高い編糸が使用され、又は他の編立部分より収縮性の高い編糸が引き揃えられている。
【０００９】
前記直線保持部が前記履き口の後側に設けられ、前記直線保持部に連続して取っ手が設けられている。
この取っ手を持つと、取っ手の根元の直線保持部により履き口が開いた状態になるので、開いた状態の履き口に足指を入れて、取っ手を引き上げることで、靴下を片手で容易に履くことができる。
【００１０】
前記取っ手の根元の前記直線部の両側にさらに前記直線保持部が設けられている。
【００１１】
前記履き口が、前記取っ手の根元の前記直線保持部を底辺とし、両側の前記直線保持部を斜辺とする二等辺三角形を形成している。
取っ手の根元の直線保持部とその両側の直線保持部により、履き口が自然に拡がるようになる。
【００１２】
前記履き口を含む脚部が内側と外側に二重に編み立てられ、前記直線保持部が内側又は外側の脚部に編み立てられている。
履き口を含む脚部が二重になっているため、足部と踵部の足底側を床等に置いた状態では、脚部が足部及び踵部の上に起立状態を保つ。このため、靴下を床においたまま、靴下も持たなくても、足の爪先を履き口に入れることができる。
【００１３】
前記直線保持部が少なくとも２つ設けられ、隣接する前記直線保持部の間は度目が大きく編み立てられている。
直線保持部の間は度目が大きく編み立てられているため、直線保持部に比して、曲げ易く、また伸び易いため、履き口に足を入れる際に、履き口が適度に拡がり、容易に靴下を履くことができる。
【発明の効果】
【００１４】
本発明によれば、履き口の直線保持部により、履き口が自然に拡がるので、体の不自由な人等でも、大きく前に屈まなくても、少し屈んだ姿勢で片手で履き口を持ち、拡がった履き口に足指を入れて引き上げるだけで、片手で簡単に靴下を履くことができる。
【図面の簡単な説明】
【００１５】
【図１】本発明の第１実施形態に係る靴下の斜視図。
【図２】図１の靴下の踵部の拡大図。
【図３】図１の靴下の編構造を示す展開図。
【図４】図１の直線保持部の編構造を示す展開図。
【図５】図１の直線保持部の巻いた状態を示す拡大斜視図。
【図６】図１の直線保持部の他の編構造を示す展開図。
【図７】図１の直線保持部の平編による編構造を示す拡大図。
【図８】シンカーによる度目の調整構造を示す断面図。
【図９】図１の直線保持部のタック編による編構造を示す拡大図。
【図１０】本発明の第２実施形態に係る靴下の斜視図。
【図１１】図１０の靴下の編構造を示す展開図。
【図１２】本発明の第３実施形態に係る靴下の斜視図。
【図１３】図１２の靴下の後方から見た図。
【図１４】図１２の靴下の編構造を示す展開図。
【発明を実施するための形態】
【００１６】
以下、本発明の実施形態を添付図面に従って説明する。
【００１７】
＜第１実施形態＞
図１は、本発明の第１実施形態に係る靴下１である。この靴下１は、丸編機による正転編と正逆反転編によって編み立てられ、履き口２、脚部３、踵部４、足部５、つま先部６、及び収縮部１２ａ，１８ａからなる。
【００１８】
履き口２には、周長の１／８から２／５の範囲に、他の編立部分よりも直線状を保つ直線保持部１１ａが編み立てられている。直線保持部１１ａは、履き口２の後側に設けられている。履き口２の後側は、直線保持部１１ａにより他の編立部分よりも直線を保ち、直線保持部１１ａの両端から履き口２の前側は、直線保持部１１ａの存在により、寄り添うようにくっつくことなく、自然に広がる。このため、履き口２は自然に拡がるか、手で拡げればその状態を保つ。直線保持部１１ａの編構造については、後に詳細に説明する。
【００１９】
脚部３は、図２に示すように、当該脚部３の方向軸と足部５の方向軸とがなす足前面の角度θが９０°以下で、前傾状態になっている。
【００２０】
踵部４は、正逆反転編により編み立てられているが、脚部３と足部５を引き寄せて、脚部３が前傾状態となるように編み立てられている。踵部４の編構造については、後に詳細に説明する。
【００２１】
足部５は、正転編による一般の靴下と同様の編構造を有している。
【００２２】
つま先部６は、正逆反転編による一般の靴下と同様の編構造を有している。
【００２３】
収縮部１２ａ，１８ａは、足首前面部、すなわち、脚部３と足部５の間に編み立てられている。収縮部１２ａ，１８ａは、脚部３を前傾状態に保っている。
【００２４】
図３は、靴下１の編構造を示す展開図である。靴下１は、丸編機により履き口２からつま先部６に向かって編み立てられる。
【００２５】
まず、正転編により履き口２の筒状生地１１を編み立てる。履き口２には、周長の１／８から２／５の範囲に直線保持部１１ａを足底側、すなわち後側に編み立てる。直線保持部１１ａは、図１（ａ）では履き口２の後側に設けられているが、図１（ｂ）に示すように、この直線保持部１１ａの両側に２つの直線保持部１１ｂ，１１ｃを設けて、３つの直線保持部１１ａ，１１ｂ，１１ｃが三角形を形成するようにしてもよい。直線保持部１１ａ，１１ｂ，１１ｃを編み立てる方法には、（１）平編と、（２）タック編とがある。
【００２６】
第一の平編による方法では、正転編の途中に、平編を正逆反転編で、４〜６コース入れる。具体的には、図４に示すように、正転編の途中で、正逆反転編により端縁を形成しながら平編の矩形生地である直線保持部１１ａを編み立てる。平編は、図５に示すように、ウェール方向に巻いてコース方向に亜筒状となる性質があるので、平編の直線保持部１１ａは、直線保持性を有する。端縁の形状としては、図７に示すように、台形と逆台形の斜辺の組み合わせ（ａ）、逆台形と台形の斜辺の組みわせ（ｂ）、台形の斜辺（ｃ）、逆台形の斜辺（ｄ）、台形と逆台形の斜辺と矩形の側辺の組み合わせ（ｅ）等がある。図６（ａ）の場合の直線保持部１１ａは、踵部４のような袋状となる。
【００２７】
平編の直線保持部１１ａは、図７に示す度目ｓを詰めたり、頬張るほど、また収縮力が強い糸を使用するほど、ウェール方向に巻き易くなり、直線保持性が高まる。このため、直線保持部１１ａは、履き口２の正転編部分よりも度目ｓを詰めたり、添え糸をして頬張るようにするか、スパンデックス、仮撚加工ナイロン・ポリエステル等の収縮力が強い糸を使用する。度目Ｓを詰めるには、図８に示すように、丸編機のシリンダ３０の上方に設けられたシンカー３１をシリンダ３０の半径方向に進退させて、編目（糸）を保持する３つのラッチベース３２のいずれかを選択し、該シンカー３１のラッチベース３２と下降した針３３のフック３４との間の寸法ｈを変え、さらに編針３４の引き下げの度合いを変えることで、編目のループの大きさを変更することにより行うことができる。
【００２８】
第二のタック編による方法は、正転編の途中のあるコースの途中で一時的に編目を作らないで、次のコースを編むときに一緒に編目を作る。タック編も、ウェール方向に巻いてコース方向に亜筒状の編構造となる。具体的には、図９に示すように、１目毎に表糸を編み飛ばして裏糸を数コースタックさせる。
【００２９】
直線保持部１１ａ，１１ｂ，１１ｃの度目ｓを小さくするとともに、隣接する直線保持部１１ａ，１１ｂ，１１ｃの間の編立部分や脚部３の編立部分の度目を大きく編み立てることにより、履き口２を伸び易くすることができる。また、直線保持部１１ａ，１１ｂ，１１ｃ同士の間が曲がり易くなるので、直線保持部１１ａ，１１ｂ，１１ｃの直線保持効果を高めることができる。
【００３０】
履き口２に続いて、脚部３の円筒生地１２を正転編により編み立てる。脚部３の円筒生地１２の編立の後半で、足甲側の中央、すなわち足首部の前側になる位置に、収縮部１２ａを編み立てる。
【００３１】
通常、筒編生地に対して踵部４となる膨らみ部を余分に編み込むことによって、踵部４に対する甲側の生地が余ってしまう。さらには、本実施形態においては、脚部３が前傾に倒れる編構造としたことによって、踵部４側の生地に対して足前側面との生地に差がより生じるため、着用する際に、足首前面に生地余りが多くなる。そのため、生地余りによるたくれ防止に、足首前面にタック編やフロート編による収縮部１２ａによるたくれ留めを行う。この時、収縮部１２ａの形状は、足首前面の要所に入っていれば問題ないが、特に甲部から見た時にダイヤ状を有すことで、生地がより余りやすい足首前面の中心箇所をより多く収縮することが出来る為、たくれ留めとしての効果は大きい。また、足首前面の生地との差が生じているので、脚部３が前面に引っ張られて、前傾角度となるとともに、履き口２の開口を前側に広げる効果がある。
【００３２】
脚部３に続き、踵部４を正逆反転編により袋状に編み立てる。
【００３３】
従来の一般的な踵部は、台形生地の組み合わせにより踵を包み込む袋を編み立て、踵部を収納する。台形生地は、丸編機による正逆反転編により、編成されるものであり、正逆反転編による編み立中は編針を順次１本ずつ上げて非作動にすることによる編幅を減少させる針上領域と、編針を１本ずつ下げて作動にすることによる編幅を増加させる針下領域により構成する。これにより、編成される台形生地の斜辺の角度は約４５°（通常台形）となる。通常、台形生地同士が連結することで、従来の踵部の袋形状となる。
【００３４】
本発明の実施形態では、従来の編成方法のように、正逆反転編によって編み立てられる際、針上領域は、編針を１本ずつ増減させるのではなく、針上領域内に針下げを組み合わせて編成する。（例えば、針上領域にて編針を２本上げ、針下領域で編針を１本下げることにより、２：１の間隔で針が上がっていき、台形生地の斜辺は、６０°となる。）または、針下領域で、針上げを組み合わせて編成する。これにより、通常台形よりも角度が付き、生地の長い台形生地を編成することが出来る。なぜなら、台形生地の斜辺が４５°を超えた台形生地（長台形）を構成することで、通常台形と立体開始点が同じで、立体終了点も同じ編針の幅であれば、編角度の違いにより多くの生地を編み立てることになる。
【００３５】
筒状生地の半周分の編針を使用して編成するのが一般的ではあるが、半周分の編針に加え、編針全体の左右１０分の１程度の編針を踵部の編み始めから関与させることで、より多くの生地幅が得られ、くつ下足首側面全体に前傾した編構成をとることが出来る。
【００３６】
踵部４の編み立てを具体的に説明する。踵部４を構成する第１台形生地１３では、通常台形となる台形生地の斜辺の角度が４５°の編み方法で１コース以上編み立てる。その構成に続き、第２台形生地１４により踵部の３分の２程度まで、長台形の編みにより編み立てる。さらに、残りの３分の１を通常台形とする第３台形生地１５で編み立てる。ここまでが踵部の袋状生地の踵後部となる。次に、第４台形生地１６を長台形に編み立てる。第４台形生地１６の編みが進むにつれて第３台形生地１５との連結が行われていく。これより、第３台形生地１５は、通常台形であるため、台形の斜辺の角度が約４５°なのに対し、第４台形生地１６は、長台形の為、台形の斜辺の角度が４５°を超える角度の長台形では、一定のコース方向の目数に対してウェール方向の目数が多い為、生地量が多く、連結する際、コース数に差が生じ、第３台形生地１５の側へ第４台形生地１６が反り返って連結される。これにより、生地同士の連結時に発生する連結線（ゴアライン）が踵後部へ向かって曲がり、踵部に適した形状で踵部袋生地が曲面を描く。これにより、第４台形生地１６により踵の形状に沿って足底部から覆う生地が補われ、接地面をしっかりと包み込むことが出来る。さらにこれに引き続いて、第４台形生地１６を編み進め、第２台形生地１４とも連結される。第２台形生地１４は、長台形により編成している為、長台形同士が連結され、前傾角度の付いた踵部４となる。これよりさらに続けて第５台形生地１７を第１台形生地１３と同様に通常台形で１コース以上編み立て、第１台形生地１３と連結させる。ここまでで、踵部４の袋状生地の編成が完成する。
【００３７】
踵部４の編み立てを終えると、足部５の円筒生地１８を正転編で編み立てる。足部５の円筒生地１８の前半で、足甲側の中央、すなわち足首部の前側になる位置に、脚部３の収縮部１２ａと連続する収縮部１８ａを収縮部１２ａと同様に編み立てる。
【００３８】
足部５に続き、つま先部６の台形生地１９と２０を正逆反転編で連続して編み立て、靴下１の編み立てを終了する。
【００３９】
本第１実施形態では、履き口２に設けられた直線保持部１１ａにより、履き口２が自然に拡がり、あるいは、通常の姿勢で履き口２を拡げればその拡がった状態が保たれるので、両手を使って大きく前に屈まずに、通常の姿勢のまま靴下１を履くことができる。
【００４０】
＜第２実施形態＞
図１０は、本発明の第２実施形態に係る靴下１ａである。この靴下１ａは、脚部３が内側脚部３ａと外側脚部３ｂの２重に形成されるとともに、履き口２に取っ手７が設けられ、取っ手７の根元が直線保持部２２ａを兼用している以外は、第１の実施形態と実質的に同一であり、対応する部分には同一符号を付して説明を省略する。
【００４１】
脚部３は、踵部４の内側から履き口２までの内側脚部３ａと、履き口２から踵部４の外側までの外側脚部３ｂとからなっている。内側脚部３ａと外側脚部３ｂは履き口２で連続し、踵部４で接合されている。
【００４２】
内側脚部３ａと外側脚部３ｂの履き口２の後側の周縁には、周長の１／８から２／５の範囲に他の編立部分よりも直線状を保つ直線保持部２２ａが編み立てられている。直線保持部２２ａの編構造については、後に詳細に説明する。
【００４３】
取っ手７は、履き口２の後側に、直線保持部２２ａと連続して設けられている。
【００４４】
図１１は、靴下１ａの編構造を示す展開図である。靴下１ａは、丸編機により履き口２からつま先部６に向かって編み立てられる。
【００４５】
まず、内側脚部３ａの円筒生地２１と履き口２の円筒生地２２を、正転編により編み立てる。脚部３は、平編にゴムを挿入したブロードリブ編で編み立てられている。
【００４６】
内側脚部３ａの履き口２に続いて、取っ手７を編み立てる。取っ手７は、まず正逆反転編により直線保持部２２ａとなる第１小台形生地２３を脚部３より度目の詰んだ平編で編み立てる。続いて、正逆反転編により端縁を形成しながら取っ手本体生地２４をパイル編で編み立てる。この後、正逆反転編で第１小台形生地２３と連結しながら直線保持部２２ａとなる第２小台形生地２５を脚部３より度目の詰んだ平編で編み立てる。
【００４７】
取っ手７を編み立てた後、正転編により、内側の履き口２の円筒生地２２に続いて、外側の履き口２の円筒生地２６と、それに続く外側脚部３ｂの円筒生地２７を編み立てる。
外側脚部３ｂは、内側脚部３ａ及び履き口２の２２，２３と同様に、平編にゴムを挿入したブロードリブ編で編み立てられている。内側脚部３ｂ以後の編み立ては、第１実施形態と同様に行うことで、靴下１ａの編み立てを終了する。
【００４８】
第２実施形態の靴下１ａでは、履き口２の後側に設けられた取っ手７の根元が直線保持部２２ａの役割を果たすので、取っ手７を掴むと、履き口２が自然に拡がるようになる。この取っ手７を持ち、開いた状態の履き口２に足指を入れて、取っ手７を引き上げることで、靴下１ａを片手で容易に履くことができる。
【００４９】
また、履き口２を含む脚部３が内側脚部３ａと外側脚部３ｂの二重のブロードリブ編になっているため、足部５と踵部４の足底側を床等に置いた状態では、図５１０に示すように、脚部３が足部５及び踵部４の上に起立した状態を保つ。このため、靴下１ａを床においたまま、靴下１ａも持たなくても、足のつま先を履き口２に入れることができる。
【００５０】
＜第３実施形態＞
図１２、図１３は、本発明の第３実施形態に係る靴下１ｂである。この靴下１ｂは、取っ手７の根元の直線保持部２２ａに加えて、履き口２に２つの直線保持部２２ｂ，２２ｃが編み立てられている以外は、第２実施形態と実質的に同一であり、対応する部分には同一符号を付して説明を省略する。
【００５１】
２つの直線保持部２２ｂ，２２ｃは、内側脚部３ａの履き口２に、周長の１／８から２／５の範囲に編み立てられている。２つの直線保持部２２ｂ，２２ｃは、図５に示すように、履き口２の前後を結ぶ中心線に対して対称となる位置に設けられている。直線保持部２２ａの編構造は、図１１の第２実施形態と同様であり、直線保持部２２ｂ，２２ｃの編構造は、図３〜６の第２実施形態と同様である。
【００５２】
取っ手７の根元の直線保持部２２ａと、履き口２の両側の２つの直線保持部２２ｂ，２２ｃとは、取っ手７の根元の直線保持部２２ａを底辺とする２等辺三角形を形成している。取っ手７の根元の直線保持部２２ａは、履き口の他の部分よりも曲りにくいため、２つの直線保持部２２ｂ，２２ｃと同様に、直線保持機能を果たす。このため、履き口２は２等辺三角形状に開口する。
【００５３】
第３実施形態の靴下１ｂでは、履き口２の後側に設けられた取っ手７の根元が直線保持部２２ａの役割を果たすので、他の直線保持部２２ｂ，２２ｃとともに、履き口２が自然に２等辺三角形状に拡がるようになる。この取っ手７を持ち、開いた状態の履き口２につま先を入れて、取っ手７を引き上げることで、靴下１ｂを片手で容易に履くことができる。
【００５４】
本願発明は、以上の実施形態に限るものではなく、特許請求の範囲に記載された発明の範囲内で変形・修正することができる。
【符号の説明】
【００５５】
１，１ａ，１ｂ…靴下
２…履き口
３…脚部
３ａ…内側脚部
３ｂ…外側脚部
４…踵部
５…足部
６…つま先部
７…取っ手
１１…円筒生地
１１ａ，１１ｂ，１１ｃ…直線保持部
１２…円筒生地
１２ａ…収縮部
１３…第１台形生地
１４…第２台形生地
１５…第３台形生地
１６…第４台形生地
１７…第５台形生地
１８…円筒生地
１８ａ…収縮部
１９…台形生地
２０…台形生地
２１…円筒生地
２２…円筒生地
２２ａ…直線保持部
２２ｂ，２２ｃ…直線保持部
２３…第１小台形生地
２４…取っ手本体生地
２５…第２小台形生地
２６…円筒生地
２７…円筒生地
３０…シリンダ
３１…シンカー
３２…ラッチベース
３３…針
３４…フック
【図１】
2019151937.tif 000003
【図２】
2019151937.tif 000004
【図３】
2019151937.tif 000005
【図４】
2019151937.tif 000006
【図５】
2019151937.tif 000007
【図６】
2019151937.tif 000008
【図７】
2019151937.tif 000009
【図８】
2019151937.tif 000010
【図９】
2019151937.tif 000011
【図１０】
2019151937.tif 000012
【図１１】
2019151937.tif 000013
【図１２】
2019151937.tif 000014
【図１３】
2019151937.tif 000015
【図１４】
2019151937.tif 000016